(57)【要約】【課題】  インバンドＦＡＸ通信に於いて、音声通信とＦＡＸ通信との切替えを障害なしに実行すること。【解決手段】  ＦＡＸトーン検出部１１８は、対向する通信装置から音声用通信路を介して受信するパケットからＦＡＸトーンを検出し、無音検出部１１９は、ＦＡＸトーン検出部１１８が、ＦＡＸトーンを検出した後、無音状態を検出し、ジッタバッファ制御部１１３は、無音検出部１１９が所定の時間以上無音状態の継続を検出すると、音声データを間引き消去する遅延回復制御機能１１３ａを停止させ、予め定められた固定時間以上継続する無音データを出力し、モード切替機能１１１ａは、音声通信からＦＡＸ通信へのモード切替を実行する。【選択図】  図３
2009017000.tif 000002
【特許請求の範囲】
【請求項１】
音声通信及びＦＡＸ通信が可能な端末装置と接続され、エコーキャンセラ及びジッタバッファを備え、対向する通信装置と音声用通信路を介して音声通信及びＦＡＸ通信可能な通信装置であって、
前記対向する通信装置から前記音声用通信路を介して受信するパケットからＦＡＸトーンを検出するＦＡＸトーン検出部と、
該ＦＡＸトーン検出部が、前記ＦＡＸトーンを検出した後、無音状態を検出する無音状態検出部と、
前記無音状態検出部が所定の時間無音状態の継続を検出すると、音声データを間引き消去する遅延回復制御機能を停止させ、予め定められた固定時間継続する無音データを出力するジッタバッファ制御部とを備えることを特徴とする通信装置。
【請求項２】
前記ＦＡＸ通信中に、前記無音状態検出部が所定の時間無音状態の継続を検出すると、
前記ジッタバッファ制御部は、更に、前記遅延回復制御機能を回復させることを特徴とする請求項１に記載の通信装置。
【請求項３】
前記ＦＡＸトーン検出部がＡＮＳａｍ信号を検出すると、前記エコーキャンセラの機能を停止させるエコーキャンセラ制御部を、更に備えることを特徴とする請求項１に記載の通信装置。
【請求項４】
前記ＦＡＸ通信中に、前記無音状態検出部が所定の時間無音状態の継続を検出すると、前記ジッタバッファ制御部が前記遅延回復制御機能を回復させるのに前後して、
前記エコーキャンセラ制御部は、更に、前記エコーキャンセラの機能を回復させることを特徴とする請求項３に記載の通信装置。
【請求項５】
前記ＦＡＸトーンは、ＣＥＤ信号、またはＡＮＳａｍ信号であることを特徴とする請求項１から請求項４までの何れか一項に記載の通信装置。
【請求項６】
前記ＦＡＸトーンが、ＣＥＤ信号であると、前記無音状態検出部が所定の時間検出する無音状態は、対向する通信装置間における送受信双方向の無音状態であることを特徴とする請求項５に記載の通信装置。
【請求項７】
前記ＦＡＸトーンが、ＡＮＳａｍ信号であると、前記無音状態検出部が所定の時間検出する無音状態は、遅延回復制御機能を停止させる時は対向する通信装置間における受信方向の無音状態であり、遅延回復制御機能の回復時は送受信双方向の無音であることを特徴とする請求項５に記載の通信装置。
【発明の詳細な説明】
【技術分野】
【０００１】
本発明は、音声通信及びＦＡＸ通信が可能な端末装置に接続され、対向する通信装置と音声用通信路を介して音声通信及びＦＡＸ通信を行う通信装置に関する。
【背景技術】
【０００２】
ＦＡＸデータを音声データとみなし、音声用通信路を介してこのＦＡＸデータを送受信する、いわゆるインバンドＦＡＸ通信を行う通信装置が普及している。この通信装置は、ＦＡＸ通信が可能な電話機に接続され、この電話機から音声データやＦＡＸデータを受信すると、音声データやＦＡＸデータをＲＴＰ（Ｒｅａｌｔｉｍｅ  Ｔｒａｎｓｐｏｒｔ  Ｐｒｏｔｏｃｏｌ）パケットに包含し、音声用通信路を介して対向する通信装置へ送信する。また、音声通信とＦＡＸ通信との切替は、ＦＡＸトーンの検出、呼切断の検出などに基づいて実行される。
【０００３】
音声通信とＦＡＸ通信との切替は、以下の手順に基づいて実行される。
フェーズ（Ａ）；呼設定の手順（発着信制御）
フェーズ（Ｂ）；呼設定の後、メッセージ伝送に先立つ準備手順
フェーズ（Ｃ）；メッセージ伝送手順
フェーズ（Ｄ）；メッセージ伝送が終了したことを確認する手順
フェーズ（Ｅ）；呼復旧の手順
【０００４】
また、この通信装置はその内部に、エコーキャンセラと、ジッタバッファとを備えている。エコーキャンセラは、相手の音声がエコーとして返信されるのを防止する機能を有し、ジッタバッファは、伝送路中でのトラヒック量の増大等に起因するパケットの到着時間のバラツキによって発生する遅延時間の揺らぎ（ジッタ）を補正する機能を有している。
【０００５】
エコーキャンセラは、通常、ＦＡＸ通信中において稼働停止するように構成されている。ＦＡＸ通信中に稼働すると、送信するＦＡＸデータにエコー除去信号が重畳され、正確な画像データの送受信ができなくなるからである。
【０００６】
ジッタバッファは、上記ジッタを補正するために、該ジッタバッファに書き込まれた音声データのうち、通話者が音声の異常を感じない程度に音声データを消去するという遅延回復制御機能を有している（例えば、特許文献１、及び、特許文献２参照）。
【０００７】
この、遅延回復制御機能は、ＦＡＸ通信中において停止するように構成されている。ジッタバッファに格納されているＦＡＸデータを消去してしまうと、正確な画像再生ができなくなるからである。
【特許文献１】特開２００３−１２５１８６号公報
【特許文献２】特開２００６−１２１１７６号公報
【発明の開示】
【発明が解決しようとする課題】
【０００８】
（課題１）
上述した従来の通信装置では、音声通信からＦＡＸ通信への切替時に必要とされる処理、即ち、フェーズ（Ａ）からフェーズ（Ｂ）に至るときに必要とされる処理の開始時点は、ＦＡＸトーン（ＣＥＤ信号）の検出時点としているため、（特許文献１では更に無音データを所定時間追加しているが）ときにはＦＡＸトーンが終了する前に切替処理が完了してしまう場合も発生する。かかる場合にはＦＡＸトーンが途中で分断されてしまい、残余のＦＡＸトーンによってフェーズ（Ｂ）における手順に障害が発生してしまうという解決すべき課題が残されていた。
【０００９】
（課題２）
また、ＦＡＸ通信から音声通信への切替えに必要なフェーズ（Ｄ）に至るときに必要とされる処理の開始時点は、呼切断の検出時点としているため、通話状態を維持したまま、停止されているエコーキャンセラの機能及びジッタバッファの遅延回復制御機能を回復させることが出来ないという解決すべき課題が残されていた。
【課題を解決するための手段】
【００１０】
請求項１は、音声通信及びＦＡＸ通信が可能な端末装置と接続され、エコーキャンセラ及びジッタバッファを備え、対向する通信装置と音声用通信路を介して音声通信及びＦＡＸ通信可能な通信装置であって、上記対向する通信装置から上記音声用通信路を介して受信するパケットからＦＡＸトーンを検出するＦＡＸトーン検出部と、該ＦＡＸトーン検出部が、上記ＦＡＸトーンを検出した後、無音状態を検出する無音状態検出部と、上記無音状態検出部が所定の時間無音状態の継続を検出すると、音声データを間引き消去する遅延回復制御機能を停止させ、予め定められた固定時間継続する無音データを出力するジッタバッファ制御部とを備えることを主要な特徴とする通信装置。
【００１１】
請求項２は、請求項１に記載の通信装置であって、上記ＦＡＸ通信中に、上記無音状態検出部が所定の時間無音状態の継続を検出すると、上記ジッタバッファ制御部は、更に、上記遅延回復制御機能を回復させることを主要な特徴とする。
【発明の効果】
【００１２】
請求項１に記載の発明は、ＦＡＸトーン検出部と無音状態検出部とを備え、ＦＡＸトーン検出部がＦＡＸトーンを検出した後、無音状態検出部が予め定められた時間以上無音状態の継続を検出すると、音声通信からＦＡＸ通信へのモード切替に至るときに必要とされる処理が実行されるので、ＦＡＸトーンが途中で分断され、残余のＦＡＸトーンによってフェーズ（Ｂ）における手順に障害が発生してしまうという不都合を回避することが出来るという効果（課題１の解決）を得る。
【００１３】
請求項２に記載の発明では、更に、上記無音状態検出部による所定の時間継続する無音状態継続の検出を、ＦＡＸ通信から音声通信への切替処理に至るときに必要とされる処理の開始時点としているため、通話状態を維持したままＦＡＸ通信から音声通信への切替が可能になるという効果（課題２の解決）を得る。
【発明を実施するための最良の形態】
【００１４】
次に、本発明を実施するための最良の形態を説明する。
【実施例】
【００１５】
図１は、通信装置の接続形態を示すブロック図である。
図に示すように、通信装置２は、インバンドＦＡＸ通信を行う装置であって、ＦＡＸ送信が可能な電話機であるＦＡＸ対応端末装置１と接続され、音声用通信路としてのＩＰネットワーク５を介してＦＡＸ対応端末装置４に接続する通信装置３と接続されている。
【００１６】
図２は、通信装置の構成を示すブロック図である。
図に示すように、通信装置２は、ＤＳＰ部１０と、ＲＴＰ制御部１１と、ＳＬＩＣ１２と、ＷＡＮポート１３とを備えている。通信装置３は、通信装置２と同様であるものとして通信装置２のみについて説明する。
【００１７】
ＤＳＰ部１０は、Ｄｅｃｏｄｅｒ１０１、Ｅｎｃｏｄｅｒ１０２、ＤＳＰ制御部１０３、エコーキャンセラ部１１６、ジッタバッファ１１７、ＦＡＸトーン検出部１１８、及び無音検出部１１９を備え、ＩＰネットワーク５を介して通信装置３から受信したパケット信号をアナログ信号に変換してＦＡＸ対応端末装置１へ送出し、ＦＡＸ対応端末装置１から受け入れたアナログ信号をパケット信号に変換してＩＰネットワーク５を介して通信装置３へ送信する部分である。
【００１８】
Ｄｅｃｏｄｅｒ１０１は、通信装置３から受信してジッタバッファ１１７に格納されている、所定の長さに分割されたＦＡＸトーン、ＦＡＸデータ、及び、音声データが包含されたＲＴＰパケットから、ＦＡＸトーン、ＦＡＸデータ、音声データを再構成する部分である。
【００１９】
また、Ｄｅｃｏｄｅｒ１０１は、再構成されたＦＡＸトーン、ＦＡＸデータ、及び、音声データをアナログ信号に変換し、ＳＬＩＣ１２に出力する部分である。ここで、ＦＡＸトーンとは、ＩＴＵ−Ｔ勧告Ｔ．３０に規定されている被呼端末装置を識別するＣＥＤ信号等を指している。
【００２０】
Ｅｎｃｏｄｅｒ１０２は、ＦＡＸ対応端末装置１からＳＬＩＣ１２を介して、アナログ信号でなるＦＡＸトーン、ＦＡＸデータ、及び音声データを受け入れると、ＦＡＸトーン、ＦＡＸデータ、及び、音声データを包含するディジタル信号からなるＲＴＰパケットに変換する部分である。
【００２１】
次に、ＤＳＰ制御部１０３の内容について他の図を用いて詳細に説明する。その説明の中でエコーキャンセラ部１１６、ジッタバッファ１１７、ＦＡＸトーン検出部１１８、無音検出部１１９の内容についても併せて説明する。
【００２２】
図３は、ＤＳＰ制御部の構成を示すブロック図である。
図に示すように、ＤＳＰ制御部１０３は、動作状態切替部１１１と、エコーキャンセラ制御部１１２と、ジッタバッファ制御部１１３とを備える。
【００２３】
動作状態切替部１１１は、音声通信からＦＡＸ通信へモード切替されると、エコーキャンセラ制御部１１２に対してエコーキャンセラ部１１６の稼動を停止させ、ＦＡＸ通信から音声通信へモード切替されると、エコーキャンセラ部１１６の稼動を回復させる部分である。但し、国際規格の取り決め（ＩＴＵ−Ｔ  Ｇ．１６８）などによって、ＦＡＸ通信にモード切替された場合であっても稼働を停止させない場合もある。本実施例は、かかる場合に該当する。
【００２４】
また、動作状態切替部１１１は、音声通信からＦＡＸ通信へモード切替された場合には、ジッタバッファ制御部１１３に対して遅延回復制御機能１１３ａを停止させ、ＦＡＸ通信から音声通信へモード切替された場合には、遅延回復制御機能１１３ａを回復させる部分である。
【００２５】
ここで遅延回復制御機能１１３ａとは、トラヒック状態等に起因し、音声データを含むＲＴＰパケットが一度に沢山送信されてきた場合には、ＲＴＰパケットをジッタバッファ１１７に格納することができなくなったり、音声遅延が大きくなり、通話に支障が出るのを防止するために、ユーザが異常と認識しない程度の範囲内で、ジッタバッファ１１７に格納されている音声データを間引く機能である。
【００２６】
また、動作状態切替部１１１は、音声通信モードに於いて、ＦＡＸトーン検出部１１８からＣＥＤ信号よりなるＦＡＸトーンが検出された旨の通知を受け入れると、無音検出部１１９の稼働を開始させる部分である。続いて、無音検出部１１９から所定の時間継続する無音状態の検出通知を受け入れるとジッタバッファ制御部１１３に対して固定時間継続する無音データを出力させる部分である。
【００２７】
また、動作状態切替部１１１は、上記したように、ＦＡＸ通信モードに於いて、無音検出部１１９を監視し、無音検出部１１９から所定の時間継続する無音状態の検出通知を受け入れると必要に応じてエコーキャンセラ制御部１１２に対してエコーキャンセラ部１１６の稼働を回復させる部分である。
【００２８】
更に、動作状態切替部１１１は、上記したように、ＦＡＸ通信モードに於いて、無音検出部１１９から所定の時間継続する無音状態継続の検出通知を受け入れるとジッタバッファ制御部１１３に対して遅延回復制御機能１１３ａを回復させる部分でもある。
【００２９】
エコーキャンセラ制御部１１２は、エコーキャンセラ部１１６を稼働させる要求が動作状態切替部１１１から入力されると、エコーキャンセラ部１１６を稼働させる指示をエコーキャンセラ部１１６に出力する部分である。また、エコーキャンセラ制御部１１２は、エコーキャンセラ部１１６の稼働を停止させる要求が動作状態切替部１１１から入力されると、エコーキャンセラ部１１６の稼働を停止させる指示をエコーキャンセラ部１１６に出力する部分である。
【００３０】
ジッタバッファ制御部１１３は、動作状態切替部１１１から無音データの出力要求があると、予め定められた固定時間ジッタバッファからの出力のみを停止し、Ｄｅｃｏｄｅｒ１０１（図２）の補間動作によりＦＡＸ対応端末装置へ無音データを送出させることによって固定遅延を挿入する部分である。
【００３１】
また、動作状態切替部１１１から上記遅延回復制御機能１１３ａを停止させる要求が入力されると、遅延回復制御機能１１３ａを停止させる部分である。更に、動作状態切替部１１１から上記遅延回復制御機能１１３ａを稼動させる要求が入力されると、遅延回復制御機能１１３ａを回復させる部分である。
【００３２】
エコーキャンセラ部１１６は、エコーキャンセラ制御部１１２の制御に従い、稼働を開始又は停止し、稼働を開始すると、通話相手先のＦＡＸ対応端末装置４に通話者が発話したエコーを送信させないように、このエコーを除去するためのエコー除去信号を出力する部分である。
【００３３】
ジッタバッファ１１７は、通信装置３（図１）から送信されてきたＦＡＸデータ、ＦＡＸトーン、及び、音声データが包含されたＲＴＰパケット、及び、無音データを格納するメモリである。
【００３４】
ＦＡＸトーン検出部１１８は、ＣＥＤ信号からなるＦＡＸトーンが通信装置３（図１）から送信されてきた旨の通知をＤｅｃｏｄｅｒ１０１（図２）から受けると、ＦＡＸトーンが検出された旨の通知を動作状態切替部１１１に出力する部分である。
【００３５】
無音検出部１１９は、Ｄｅｃｏｄｅｒ１０１やＥｎｃｏｄｅｒ１０２で扱われる音声信号が無音状態にあることを検出し、無音状態にある旨の通知を動作状態切替部１１１に出力する部分である。更に、所定の時間（通常数十から数百ｍｓｅｃ）無音状態が継続した場合には無音状態継続通知を動作状態切替部１１１に出力する部分でもある。
【００３６】
図２に戻って、ＲＴＰ制御部１１は、ＤＳＰ部１０からＲＴＰパケットを受け入れて宛先を設定し、ＷＡＮポート１３を介してＩＰネットワーク５へ送信する部分である。又、ＷＡＮポート１３を介してＩＰネットワーク５からＲＴＰパケットを受信し、ＤＳＰ部１０へ送出する部分である。
【００３７】
ＳＬＩＣ１２は、ＤＳＰ部１０のＥｎｃｏｄｅｒ１０２に出力されたアナログ信号からなる音声データ、ＦＡＸデータ、ＦＡＸトーン、及び、後述する無音データをＦＡＸ対応端末装置１に送信するとともに、ＦＡＸ対応端末装置１から送信されてきたアナログ信号からなる音声データ、ＦＡＸデータ、及び、ＦＡＸトーンをＤＳＰ部１０のＥｎｃｏｄｅｒ１０２に出力する部分である。
【００３８】
ＷＡＮポート１３は、ＩＰネットワーク５から受信したパケットをＲＴＰ制御部１１へ受け渡し、ＲＴＰ制御部１１から受け取ったパケットをＩＰネットワーク５へ送信する部分である。
【００３９】
次に、実施例１の通信装置における本発明に基づく制御動作について説明する。
説明の前提として、ここでは、上記解決すべき課題に対応させて、制御動作（１）；通信装置２が、ＩＰネットワーク５を介して通信装置３からＦＡＸトーン（ＣＥＤ信号）を受け入れて（フェーズ（Ａ））メッセージ伝送に先立つ準備手順（フェーズ（Ｂ））を終了するまでの動作と、制御動作（２）；通信装置２が、ＦＡＸ通信中にＩＰネットワーク５を介してＦＡＸ対応端末装置１から送信されたＤＣＮ信号が通信装置２を通過してＦＡＸ対応端末装置４へ送信された後（フェーズ（Ｄ））音声通信へ切替る（フェーズ（Ｅ））動作とに分けて説明する。その他の制御動作については従来の制御方法と同様なので説明を省略する。但し、ＤＣＮ信号は、通信装置では検出されない信号である。
【００４０】
図４は、通信装置の通信制御の説明図（その１）である。
この図は、上記制御動作（１）の一例を示すタイムチャートである。
図に於いて左側にＹ軸方向に上から順番に通信装置３（ＦＡＸ対応端末装置４が接続されている）から通信装置２（ＦＡＸ対応端末装置１が接続されている）が受信する信号、通信装置２から通信装置３へ送信する信号、両信号に共通の経過時間を表す時刻をそれぞれ表している。以下に時刻の経過を基準にして通信装置２の制御動作（１）について図１及び図３を併用しながら説明する。
【００４１】
時刻Ｔ１
ＦＡＸ対応端末装置４から通信装置３及び通信装置２を通ってＦＡＸトーン（ＣＥＤ信号）が送信される。
【００４２】
時刻Ｔ２〜時刻Ｔ３
通信装置２のＦＡＸトーン検出部１１８が、受信中のＦＡＸトーンがＣＥＤ信号（被呼端末識別信号）であることを検出し、ＦＡＸトーン（ＣＥＤ信号）を検出した旨の通知を動作状態切替部１１１へ送る。動作状態切替部１１１は、無音検出部１１９を稼動させる。この時刻Ｔ２は、ＣＥＤ信号の始点（時刻Ｔ１）から終点（時刻Ｔ３）までの間に位置している。即ち、ＣＥＤ信号は通常、アナログ信号に変換された後のエンベロープの形態などによってＣＥＤ信号の終点（時刻Ｔ３）に至る前に検出される。
【００４３】
時刻Ｔ４
ＣＥＤ信号（被呼端末識別信号）に続いて、ＮＳＦ信号（非標準機能識別信号）、ＣＳＩ信号（被呼端末識別信号）、ＤＩＳ信号（ディジタル識別信号）がＦＡＸ対応端末装置４から通信装置３及び通信装置２を通ってＦＡＸ対応端末装置１へ送信される。通信装置２は、これらの信号を識別できないが、無音検出部１１９が稼動しているので無音状態になったことは検出可能になる。
【００４４】
時刻Ｔ５
通信装置２の無音検出部１１９が送信、受信とも無音状態になったことを検出する。
【００４５】
時刻Ｔ６
通信装置２の無音検出部１１９が所定の時間無音状態の継続を検出すると、動作状態切替部１１１の制御に基づいて、ジッタバッファ制御部１１３は、予め定められている固定時間長の無音データを出力し、更に、遅延回復制御機能１１３ａの機能を停止させる。
【００４６】
時刻Ｔ７
ＦＡＸ対応端末装置１からＤＣＳ信号（ディジタル命令信号）、ＴＣＦ信号（トレーニングチェック信号）が、通信装置２及び通信装置３を通ってＦＡＸ対応端末装置４へ送信される。
【００４７】
時刻Ｔ８
ＦＡＸ対応端末装置４は、トレーニングチェック終了後、通信装置３及び通信装置２を通って、ＦＡＸ対応端末装置１へＣＦＲ信号（受信準備確認信号）を送信する。
【００４８】
時刻Ｔ９
ＦＡＸ対応端末装置１が、ＣＦＲ信号（受信準備確認信号）の受信を終了する。
【００４９】
時刻Ｔ１０
ＦＡＸ対応端末装置１は、通信装置２及び通信装置３を通って、ＦＡＸ対応端末装置４へＦＡＸデータの送信を開始する。
【００５０】
尚、上記説明中に於いて、通信装置２、及び、通信装置３が識別出来る信号は、ＣＥＤ信号のみであり、それ以外の信号、即ち、ＮＳＦ信号、ＣＳＩ信号、ＤＩＳ信号、ＤＣＳ信号、ＴＣＦ信号、ＣＦＲ信号、ＦＡＸデータについては識別出来ない信号である。但し、無音検出部１１９により、有音状態であるか無音状態であるかの検出（識別）は可能である。
【００５１】
図５は、通信装置の通信制御の説明図（その２）である。
この図は、上記制御動作（２）の一例を示すタイムチャートである。
図に於いて左側にＹ軸方向に上から順番に通信装置３（ＦＡＸ対応端末装置４が接続されている）から通信装置２（ＦＡＸ対応端末装置１が接続されている）が受信する信号、通信装置２から通信装置３へ送信する信号、両信号に共通の経過時間を表す時刻をそれぞれ表している。以下に時刻の経過を基準にして通信装置２の制御動作（２）について図１及び図３を併用しながら説明する。
【００５２】
時刻Ｔ１１
ＦＡＸ対応端末装置１は、通信装置２及び通信装置３を通って、ＦＡＸ対応端末装置４へＦＡＸデータの送信を終了する。
【００５３】
時刻Ｔ１２
ＦＡＸ対応端末装置１は、通信装置２及び通信装置３を通って、ＦＡＸ対応端末装置４へＥＯＭ信号（メッセージ終了信号）を送信する。
【００５４】
時刻Ｔ１３
ＦＡＸ対応端末装置４は、ＥＯＭ信号を認識すると、通信装置３及び通信装置２を通って、ＦＡＸ対応端末装置１へＭＣＦ信号（メッセージ確認信号）を送信する。
【００５５】
時刻Ｔ１４
ＦＡＸ対応端末装置１は、ＭＣＦ信号（メッセージ確認信号）を認識すると、通信装置２及び通信装置３を通って、ＦＡＸ対応端末装置４へＤＣＮ信号（切断命令信号）を送信する。
【００５６】
時刻Ｔ１５
ＤＣＮ信号が終了する。通信装置２は、これらの信号を識別できないが、無音検出部１１９が既に稼動しているので無音状態の検出は可能になっている。
【００５７】
時刻Ｔ１６
通信装置２の無音検出部１１９が送信、受信とも無音状態になったことを検出する。
【００５８】
時刻Ｔ１７
動作状態切替部１１１は、無音検出部１１９を監視している。この時刻Ｔ１７まで所定の時間（数秒）  送信・受信とも無音状態が継続した旨の通知が無音検出部１１９から動作状態切替部１１１へ送出される。ジッタバッファ制御部１１３は、遅延回復制御機能１１３ａの機能を回復させ通信装置２の制御動作（２）を終了する。
【００５９】
ここでは、ＦＡＸデータ、ＥＯＰ信号、ＭＣＦ信号、ＤＣＮ信号は、全て通信装置２、及び、通信装置３に於いて識別出来ない信号である。但し、無音検出部１１９により、有音状態であるか無音状態であるかの検出（識別）は可能である。
【００６０】
以上説明したように本実施例によれば、音声通信中にＦＡＸトーン検出部がＣＥＤ信号を検出した後、無音状態検出部が予め定められた時間以上無音状態の継続を検出すると、音声通信からＦＡＸ通信へのモード切替に至るときに必要とされる処理が実行されるので、ＦＡＸトーン（ＣＥＤ信号）が途中で分断され、残余のＦＡＸトーンによってフェーズ（Ｂ）における手順に障害が発生してしまうという不都合を回避することが出来るという効果（課題１の解決）を得る。
更に、ＦＡＸ通信中に、所定の時間（数秒）送信・受信とも無音状態が継続したことを無音状態検出部が検出した時点を、ＦＡＸ通信から音声通信への切替に至るときに必要とされる処理開始時点としているため、フックオンする必要がなくなるので、通話状態を維持したままＦＡＸ通信から音声通信への切替が可能になるという効果（課題２の解決）を得る。
【００６１】
尚、上記説明では、ＤＣＮ信号はＦＡＸ対応端末装置１からＦＡＸ対応端末装置４に向けて送信されるものとして説明したが、これは一例であってＦＡＸ対応端末装置４からＦＡＸ対応端末装置１に向けて送信されても良い。
【００６２】
以上の説明では、本発明をＧ３ＦＡＸ通信について適用した場合に限定して説明したが、本発明はこの例に限定されるものではない。即ち、ＳｕｐｅｒＧ３ＦＡＸ通信にも適用可能である。但し、かかる場合には、上記説明における、ＣＥＤ信号がＡＮＳａｍ信号（ＩＴＵ−Ｔ  Ｇ．１６８に示す位相反転を有する信号）に置き換わることになる。それに伴い、エコーキャンセラの制御が発生する。更に、上記Ｇ３ＦＡＸ通信では、無音状態の検出を対向する通信装置間における送受信双方向で実行する必要があるが、ＳｕｐｅｒＧ３ＦＡＸ通信では、方式の違いから、遅延回復制御機能を停止させる時は対向する通信装置間における受信方向のみの無音状態で実行すれば良いという効果も得られる（遅延回復制御機能の回復時は、ＩＴＵ−Ｔ  Ｇ．１６８に求められるように送受信双方向の無音を検出する）。
【産業上の利用可能性】
【００６３】
上述した実施例では本発明をＧ３ＦＡＸ通信、または、ＳｕｐｅｒＧ３ＦＡＸ通信を単独に行う装置に適用した場合について説明したが、本発明はこの例に限定されるものでは無い。即ち、同一の通信装置で両方の通信方式における制御方式を実現しても良い。
【図面の簡単な説明】
【００６４】
【図１】通信装置の接続形態を示すブロック図である。
【図２】通信装置の構成を示すブロック図である。
【図３】ＤＳＰ制御部の構成を示すブロック図である。
【図４】通信装置の通信制御の説明図（その１）である。
【図５】通信装置の通信制御の説明図（その２）である。
【符号の説明】
【００６５】
１０３  ＤＳＰ制御部
１１１  動作状態切替部
１１２  エコーキャンセラ制御部
１１３  ジッタバッファ制御部
１１３ａ  遅延回復制御機能
１１６  エコーキャンセラ部
１１７  ジッタバッファ
１１８  ＦＡＸトーン検出部
１１９  無音検出部
【図１】
2009017000.tif 000003
【図２】
2009017000.tif 000004
【図３】
2009017000.tif 000005
【図４】
2009017000.tif 000006
【図５】
2009017000.tif 000007